(57)【要約】      （修正有）【課題】リテーナを内設した濾布を仕切り板に可及的に垂直状態に取り付けることが可能な方法を提供する。【解決手段】リテーナを内設した濾布を貫通孔に貫通させる工程と、貫通したリテーナの上端付近が仕切り板と接触する個所を支点にしてリテーナを三次元内で揺動してこれの上端部を仕切り板に馴染ませた後リテーナおよび濾布を自重によってほぼ垂直状に垂らす工程と、垂直状に垂らしたままリテーナの上端部を仕切り板に固定する工程と、を含むことを特徴とする。【選択図】図１
2005131456.tif 000002
【特許請求の範囲】
【請求項１】
リテーナを内設した濾布を、キャビネット内に水平状に張設された仕切り板の貫通孔に垂設した集塵機において、前記リテーナおよび濾布を前記仕切り板に垂直状態に掛止させかつ固定する方法であって、
前記リテーナを内設した濾布を前記貫通孔に貫通させる工程と、
貫通した前記リテーナの上端付近が前記仕切り板と接触する個所を支点にして前記リテーナを三次元内で揺動してこれの上端部を前記仕切り板に馴染ませた後前記リテーナおよび濾布を自重によってほぼ垂直状に垂らす工程と、
垂直状に垂らしたまま前記リテーナの上端部を前記仕切り板に固定する工程と、
を含むことを特徴とする集塵機におけるリテーナ等の垂設方法。
【請求項２】
リテーナを内設した濾布を、キャビネット内に水平状に張設された仕切り板の貫通孔に垂設した集塵機において、前記リテーナおよび濾布を前記仕切り板に垂直状態に掛止させかつ固定する装置であって；
短尺円筒体であり、前記貫通孔にほぼ同心して前記仕切り板上に載置可能であり、上面が内側へ向かって水平に延びた後逆置裁頭球状または逆置裁頭円錐状を成し、前記リテーナが貫通可能な開口を中央部に有する基礎部材と；
板材で形成された短尺円筒体であり、前記リテーナの上端部にこれとほぼ同心して固着され、上部が末広がり状を成すとともに前記基礎部材の上面における逆置裁頭球状または逆置裁頭円錐状の部分に対応して形成されてこれにほぼ合致して掛止可能である掛止部材と；
板材で形成された円筒体であり、上部が末広がり状部分とこれから外側に向かって水平に延びる水平部分を有し、前記掛止部材の上部を前記基礎部材とで挟持可能な挟持部材と；
この挟持部材の末広がり状部分の上端開口部より大径の開口を有し、開口が前記挟持部材とほぼ同心するようにして前記挟持部材上に載置されて挟持部材および前記基礎部材のそれぞれの水平部分を押圧する押圧部材と；
前記仕切り板に装着されてこれとで前記基礎部材および前記挟持部材を締め付ける締付け手段と；
を備えたことを特徴とする集塵機におけるリテーナの垂設装置。
【発明の詳細な説明】
【技術分野】
【０００１】
本発明は、集塵機におけるリテーナの垂設方法およびその装置に係り、より詳しくは、リテーナを内設した濾布を、キャビネット内に水平状に張設された仕切り板の貫通孔に垂設した集塵機において、前記リテーナおよび濾布を前記仕切り板に掛止させかつ固定する方法およびその装置に関する。      
【背景技術】
【０００２】
従来、キャビネット内に水平状に張設された仕切り板の貫通孔に前記リテーナを垂設する装置の一つとして、前記仕切り板の開口部に口金を取り付け、その口金に濾布を支持する枠材を吊下げ固定し、枠材の上端に枠材を掛止する支持板を設け、その支持板を口金に着脱自在に取り付けものがある（例えば、特許文献１参照）。
【特許文献１】特開平１１−１２８６４１号公報
【０００３】
しかし、このように構成された従来のリテーナの垂設装置では、リテーナを内設した濾布は、直径が１４０または１６５ｍｍ、長さが最大７０００ｍｍと非常に細長いため、隣接して垂設した複数の濾布同士が、下端部で相互に接触して擦れが生じ、その結果、濾布は摩耗して早期に破損するなどの弊害があった。
そのため、リテーナを内設した濾布を仕切り板に可及的に垂直状態に取り付けるべく、リテーナの部品の製作精度を大幅に高めたり、リテーナの取付に際して多大の工数をかけて調整を行ったりする必要があり、したがって、リテーナは高価なものとなる上に、生産性が極めて悪いなどの問題があった。
【発明の開示】
【発明が解決しようとする課題】
【０００４】
本発明は上記の事情に鑑みてなされたもので、その目的は、リテーナを内設した濾布を仕切り板に可及的に垂直状態に取り付けることが可能な方法およびその装置を提供することにある。
【課題を解決するための手段】
【０００５】
上記の目的を達成するために本発明の集塵機におけるリテーナ等の垂設方法は、リテーナを内設した濾布を、キャビネット内に水平状に張設された仕切り板の貫通孔に垂設した集塵機において、前記リテーナおよび濾布を前記仕切り板に垂直状態に掛止させかつ固定する方法であって；前記リテーナを内設した濾布を前記貫通孔に貫通させる工程と、貫通した前記リテーナの上端付近が前記仕切り板と接触する個所を支点にして前記リテーナを三次元内で揺動してこれの上端部を前記仕切り板に馴染ませた後前記リテーナおよび濾布を自重によってほぼ垂直状に垂らす工程と、垂直状に垂らしたまま前記リテーナの上端部を前記仕切り板に固定する工程と、を含むことを特徴とする。
【発明の効果】
【０００６】
以上の説明から明らかなように本発明は、リテーナを内設した濾布を、キャビネット内に水平状に張設された仕切り板の貫通孔に垂設した集塵機において、前記リテーナおよび濾布を前記仕切り板に垂直状態に掛止させかつ固定する方法であって；前記リテーナを内設した濾布を前記貫通孔に貫通させる工程と、貫通した前記リテーナの上端付近が前記仕切り板と接触する個所を支点にして前記リテーナを三次元内で揺動してこれの上端部を前記仕切り板に馴染ませた後前記リテーナおよび濾布を自重によってほぼ垂直状に垂らす工程と、垂直状に垂らしたまま前記リテーナの上端部を前記仕切り板に固定する工程と、を含むから、リテーナを内設した濾布の仕切り板への可及的な垂直状態の取付けを、容易かつ確実に行うことが可能になるなどの優れた実用的効果を奏する。 
【発明を実施するための最良の形態】
【０００７】
以下、本発明の一実施例について図１に基づき詳細に説明する。図１に示すように、集塵機のキャビネット（図示せず）内に水平状に張設された仕切り板１の貫通孔２に、リテーナ３を内設した濾布４を垂設する本リテーナの垂設装置は、胴体が板材で形成された短尺円筒体であり、前記貫通孔２にほぼ同心して前記仕切り板１上に載置可能であり、前記胴体は上部５が内側に折れ曲がって水平に延びた後、逆置裁頭球状を成し、かつ前記リテーナ３が貫通可能な開口６を中央部に有する基礎部材７と；胴体が板材で形成された短尺円筒体であり、前記リテーナ３の上端部にこれとほぼ同心して固着され、前記胴体は上部８が末広がり状を成すとともに前記基礎部材７における逆置裁頭球状の部分に対応して形成されてこれにほぼ合致して掛止可能であり、かつ下部が前記基礎部材７の前記開口６より小径である掛止部材９と；胴体が板材で形成された円筒体であり、前記胴体は上部が末広がり状部分１０とこれから外側に向かって水平に延びる水平部分１１を有し、前記末広がり状部分１０は前記掛止部材９および前記基礎部材７おける前記逆置裁頭球状の部分に掛止可能であり、下部の外径が前記リテーナ３の内径よりも短く、かつ前記末広がり状部分１０は前記掛止部材９の上部を前記基礎部材７における前記逆置裁頭球状の部分とで挟持可能な挟持部材１２と；この挟持部材１２の末広がり状部分１０の上端開口部より大径の開口１３を有する矩形板状を成し、この開口１３が前記挟持部材１２とほぼ同心するようにして前記挟持部材１２上に載置されて挟持部材１２および前記基礎部材５の水平部分を押圧する押圧部材１４と；前記仕切り板１に装着されてこれとで前記押圧部材１２の前記水平部分１１を締め付ける締付け手段としてのボルト・ナット１５・１６とで構成してある。
【０００８】
なお、前記押圧部材１２は前記水平部分１１の周縁部が下方へ折れ曲がっていて、上部が前記基礎部材７に緩嵌するようになっている。
【０００９】
次に、仕切り板１の貫通孔２に、リテーナ３を内設した濾布４を垂設する手順について述べる。まず、リテーナ３を内設した濾布４を貫通孔２に貫通させた後、基礎部材７における逆置裁頭球状を成する上部５上に掛止部材９の末広がり状の部分８を仮的に載せ、続いて、基礎部材７と掛止部材９の接触個所を支点にしてリテーナ３を三次元内で揺動して、リテーナ３の末広がり状の部分８を基礎部材７の逆置裁頭球状を成す上部５に馴染ませる。これにより、リテーナ３および濾布４を基礎部材７および仕切り板１にそれぞれ掛止させるとともに自重によってほぼ垂直状に垂らす。次いで、垂直状に垂らしたまま基礎部材７の上部５上に挟持部材１２を載せるとともに緩嵌させ、続いて、挟持部材１２とほぼ同心するようにして挟持部材１２上に押圧部材１４を載置するととに、ボルト１５・１５を貫通させる。その後、ナット１６・１６をボルト１５・１５に螺着されて押圧部材１４を締め付けリテーナ３を仕切り板１に固定する。
【００１０】
なお、上記の実施例では、前記基礎部材７の内側に折れ曲った部分５と前記掛止部材９の末広がり状部分１０は、逆置裁頭球状を成しているが、これに限定されるものではなく、例えば、逆置裁頭円錐状にしても同様の作用効果が得られるのはもちろんである。
【図面の簡単な説明】
【００１１】
【図１】本発明の一実施例の縦断面図である。
【符号の説明】
【００１２】
１  仕切り板  
２  貫通孔
３  リテーナ
４  濾布
７  基礎部材
９  掛止部材
１２  挟持部材 
１４  押圧部材
１５  ボルト
１６ ナット
【図１】
2005131456.tif 000003